(57)【要約】 【課題】  可及的に簡単な構造で、差込部材を比較的少ない労力で確実かつ分離不能に受容部材に結合な継手装置の提供。【解決手段】  流体管路系の２つの管路端を結合する継手装置であって、戻り止めリング（１７）が形成された差込部材（１５）を受容する受容部材（２）と、前記戻り止めリング（１７）の後方からの係合を介して前記差込部材（１５）と前記受容部材（２）とを結合可能にする少なくとも１つの後方係合要素（６）を有し前記受容部材（２）内に挿入可能な保持部材（１）とを有する継手装置において、前記保持部材（１）は、周の大部分を閉鎖する環状スリーブ（４）を有すること、前記環状スリーブ（４）の一方の側には、前記少なくとも１つの後方係合要素（６）と少なくとも１つの係止要素（８）が、夫々１つの半径方向に弾性運動可能でありかつ軸線方向に延在する弾性ウェブ（５、７）を介して結合されていること、前記少なくとも１つの係止要素（８）は、前記差込部材（１５）の差込みにより、該係止要素（８）の当接壁（２９）が前記受容部材（２）に形成された対向支持壁（３０）に対向配置されるよう、該差込部材（１５）によって半径方向内方への弾性運動が阻止されること、及び前記少なくとも１つの後方係合要素（６）は、前記少なくとも１つの係止要素（８）に対する外部からのアクセスを少なくとも困難にするために、半径方向において外側に延在する前記受容部材（２）のカバー壁（２７）によって少なくとも部分的に被われることを特徴とする。【選択図】  図１
2009519411.tif 000002
【特許請求の範囲】
【請求項１】
流体管路系の２つの管路端を結合する継手装置であって、
戻り止めリング（１７）が形成された差込部材（１５）を受容する受容部材（２）と、
前記戻り止めリング（１７）の後方からの係合を介して前記差込部材（１５）と前記受容部材（２）とを結合可能にする少なくとも１つの後方係合要素（６）を備え前記受容部材（２）内に挿入可能な確保部材（１）とを有する継手装置において、
前記確保部材（１）は、周の大部分を閉鎖する（周の大部分ないし全周に亘って延在する）環状スリーブ（４）を有すること、
前記環状スリーブ（４）の一方の側には、前記複数の少なくとも１つの後方係合要素（６）と少なくとも１つの係止要素（８）が、夫々、半径方向に弾性運動可能でありかつ軸線方向に延在する弾性ウェブ（５、７）を介して結合されていること、
前記少なくとも１つの係止要素（８）は、前記差込部材（１５）の差込みにより、該係止要素（８）の当接壁（２９）が前記受容部材（２）に形成された対抗支持壁（３０）に対向配置されるよう、該差込部材（１５）によって半径方向内方への弾性運動が阻止されること、及び
前記少なくとも１つの後方係合要素（６）は、前記少なくとも１つの係止要素（８）に対する外部からのアクセスを少なくとも困難にするために、半径方向において外側に延在する前記受容部材（２）のカバー壁（２７）によって少なくとも部分的に被われること
を特徴とする継手装置。
【請求項２】
前記当接壁（２９）及び前記対抗支持壁（３０）は、夫々、半径方向に配向されていること
を特徴とする請求項１に記載の継手装置。
【請求項３】
前記少なくとも１つの係止要素（８）には、夫々、軸線方向に前記対抗支持壁（３０）を越えて延在し前記受容部材（２）の前端フランジ（２３）の半径方向内方を指向する壁部に当接する閉鎖ウェブ（２８）が形成されていること
を特徴とする請求項１又は２に記載の継手装置。
【請求項４】
前記環状スリーブ（４）は、半径方向外側に（外方に）おいて、前記弾性ウェブ（５、７）の方向に肉厚が増加する段構造を有すること
を特徴とする請求項１〜３の何れか一項に記載の継手装置。
【請求項５】
前記少なくとも１つの係止要素（８）及び前記少なくとも１つの後方係合要素（６）は、夫々、前記環状スリーブ（４）の方向を指向する差込斜面（２１、２２）を有すること
を特徴とする請求項１〜４の何れか一項に記載の継手装置。
【請求項６】
前記少なくとも１つの後方係合要素（６）は、夫々、前記環状スリーブ（４）から離隔する側を指向し半径方向外方に形成される押圧斜面（２４）と、半径方向内方を指向する滑り斜面（２６）を有すること
を特徴とする請求項１〜５の何れか一項に記載の継手装置。
【発明の詳細な説明】
【技術分野】
【０００１】
本発明は、請求項１の上位概念部（前置部）に記載の継手装置に関する。
【背景技術】
【０００２】
この種の継手装置は、ＤＥ１９５４０７８４Ａ１から既知である。流体管路系の２つの管路端を結合するこの既知の継手装置は、戻り止めリングが形成された差込部材を受容する受容部材を有する。更に、受容部材に挿入可能な環状の確保部材を備え、該確保部材は、戻り止めリングの後方からの係合を介して、差込部材と受容部材を結合可能にする２つの後方係合要素を有する。この既知の継手装置の場合、２つの後方係合要素は、夫々、当該２つの後方係合要素間に位置付けられ受容部材の対応する開口に夫々配される２つの押圧プレートに、側部に形成された夫々２つの弾性ウェブを介して結合されている。
【発明の開示】
【発明が解決しようとする課題】
【０００３】
これらの２つの押圧プレートに夫々半径方向内方に互いに逆方向の押圧力を印加することにより、後方係合要素は半径方向外方に移動され、その結果、受容部材に挿入された差込部材は解放される。しかしながら、この装置では、側部に形成された弾性ウェブを介して結合されているため、戻り止めリングの適正な後方係合を達成するためには、少なからぬ労力が必要になる。
【０００４】
それゆえ、本発明の課題は、可及的に簡単な構造で、差込部材を比較的少ない労力で確実かつ分離不能に受容部材に結合な冒頭に述べた種類の継手装置を提供することである。
【課題を解決するための手段】
【０００５】
上記の課題は、冒頭に述べた種類の継手装置において、本発明に応じ、請求項１の特徴部に記載の特徴によって解決される。
【発明を実施するための最良の形態】
【０００６】
本発明の継手装置では、後方係合要素は、軸線方向において一方の側でのみ結合しているため、受容部材への挿入の際、確保部材の作用のみによって、弾性ウェブを介して比較的容易に運動することができ、他方、後方係合要素を半径方向外方に移動するための該後方係合要素に対するアクセスは、全く不適切な破壊的な（強制的な）作用が無い限り、カバー壁によって阻止される。本発明の継手装置では、確保部材自体は、受容部材への差込部材の差込後の係止要素と受容部材との協働（作用）によって、受容部材と分離不能に結合（係合）される。
【０００７】
本発明の更なる好ましい実施形態は、従属請求項の対象である。
【０００８】
図面を参照した本発明の好ましい実施例の以下の説明から、更なる好ましい実施形態及び利点が明らかになる。
【実施例】
【０００９】
図１は、確保部材１と、受容部材２と、Ｏ−リングとして構成された唯一つの環状パッキング３とを含む本発明の継手装置の一実施例の分解斜視図である。確保部材１は、実質的に円筒形の環状スリーブ４を有し、該環状スリーブ４には、その一方の端面に形成され軸線方向に延在する第１弾性ウェブ（複数）５を介して、直径方向において互いに向い合うよう配される２つの後方係合要素６が結合されている。更に、環状スリーブ４の同じ端面に、これらの２つの第１弾性ウェブ５の間に配される第２弾性ウェブ（複数）７が形成されており、該（複数の）第２弾性ウェブ７には、同様に直径方向において互いに向い合うよう配される係止要素（複数）８が形成されている。第１弾性ウェブ（複数）５と第２弾性ウェブ（複数）７との間には、環状スリーブ４の上記端面から突出する当接突起（複数）９が形成されている。
【００１０】
本発明の継手装置の図示の実施例の受容部材２は、ヘッド部分１０と、中間部分１１と、中間部分１１のヘッド部分１０とは反対側に形成され既知の態様で流体管路系の管路端に結合可能に構成された接続パイプ１２を有する。ヘッド部分１０には、直径方向において互いに向い合うよう配される窓開口（複数）１３が形成されており、窓開口１３は、夫々、その中に係止要素８が配置可能であるような寸法・形状にされている。更に、図１から明らかなとおり、ヘッド部分１０には、互いに向い合うよう配される２つの保護スペース１４が形成されており、該保護スペース１４は、夫々、その内部において、後方係合要素６が半径方向外方にある程度の可動性をもって配置可能であるような寸法・配置・形状にされている。
【００１１】
図１には、更に、外周が滑らかな壁面として構成され実質的に円筒形の終端部分１６を介して本発明の継手装置と結合する差込部材１５が記載されている。差込部材１５は、終端部分１６から半径方向外方に突出し全周に亘って延在するよう形成された戻り止めリング１７を有し、更に、戻り止めリング１７の終端部分１６とは反対側に、流体管路系の他の管路端に結合可能な接続パイプ１８を有する。戻り止めリング１７と接続パイプ１８との間には、戻り止めリング１７と同様に終端部分１６から半径方向外方に突出するが、戻り止めリング１７よりもより径大になる（半径方向の広がりがより大きくなる）寸法・形状にされた全周に亘って延在する端面フランジ１９が形成されている。
【００１２】
図示されていない他の一実施例では、端面フランジ１９は、差込部材１５と一体的に構成され本発明の継手装置が外嵌可能な構造部材の壁部に組込まれる（一体的に形成される）。
【００１３】
図２は、本発明の継手装置の図１の実施例の、確保部材１及び環状パッキング３が受容部材２に挿入された組立状態を示す。この場合、差込部材１５の戻り止めリング１７は、弾性ウェブ５、７を保護する機能を有する当接突起９に当接し、弾性ウェブ５，７に対しては作用しない（影響を及ぼさない）。この状態においては、環状パッキング３は、環状ミゾ２０に配され、環状スリーブ４の弾性ウェブ５、７とは反対側の端面の近くに位置する。図２から明かなとおり、環状スリーブ４は、弾性ウェブ５、７の方向に向かって半径方向外側に（外方に）おいて肉厚が増加する段構造を有する。この段構造は、受容部材２の中間部分１１の半径方向内側を指向し相補的に構成された内壁に当接する。このため、環状ミゾ２０の反対側において、ストッパ（ないし嵌め合わせ当接部）と、環状パッキング３を受容する受容空間の境界が形成される。
【００１４】
後方係合要素６及び係止要素８には、夫々、環状スリーブ４を指向する差込斜面２１、２２が形成されている。このため、弾性ウェブ５、７が半径方向内方に撓むことによりヘッド部分１０を終端する（終端部に形成された）前端フランジ２３の前端側（フロントサイド）において差込斜面２１、２２が滑動するため、確保部材１の挿入は容易化される。後方係合要素６には、更に、その差込斜面２１の反対側に配され、受容部材２の前端フランジ２３の後端側（リアサイド）に指向される（に対向される）押圧斜面２４が形成される。また、後方係合要素６は、更に、半径方向内方に突出し、図２に示されているように、差込部材１５の戻り止めリング１７の後方係合に役立つ係合ノーズ２５を有する。差込部材１５の差込みを容易化するために、係合ノーズ２５は、差込部材１５の差込中に戻り止めリング１７が通過する際の後方係合要素６を半径方向外方に逸らす（変位させる）ために必要な力が比較的小さくなるよう傾斜が付された滑り斜面２６を有する。この後方係合要素６の半径方向外方への逸れ（逃げ移動ないし変位）は、保護スペース１４の対応する寸法・形状によって、妨害されることなく達成される。
【００１５】
後方係合要素６を外部からのアクセスから完全に保護するために、保護スペース１４は、外方に対し完全に閉じたカバー壁２７を有していると都合がよい。
【００１６】
図２に示した配置状態において窓開口１３内に位置する係止（ロック）要素８は、第２弾性ウェブ７の反対側に配され（形成され）、軸線方向に突出し、半径方向内方を指向する前端フランジ２３の内壁に当接する閉鎖ウェブ２８を有する。更に、係止要素８は、それぞれ、半径方向に配向された当接壁２９を有し、該当接壁２９は、夫々、窓開口１３の境界をなすと共に、同様に半径方向に配向された前端フランジ２３の対抗支持壁３０に（図２に示した配置状態において）対向配置される。
【００１７】
図示の実施例の場合、当接壁２９が少なくとも部分的に対抗支持壁３０に対して対向して配置された状態に維持されるように、戻り止めリング１７によって係止要素８の半径方向内方への運動が適切な時点において阻止される。このため、本発明の継手装置に差込まれた差込部材１５を差込方向とは反対方向に受容部材２の中から外に移動しようとしても、当接壁２９の支持壁３０との当接（係合）によって、確保部材１は、受容部材２からの抜け出しに対して保護され、その際、押圧斜面２４が前端フランジ２３に当接（係合）することにより、係合ノーズ２５は、差込部材１５の終端部分１６の方向（差込方向）に押圧されるため、係合ノーズ２５における戻り止めリング１７の滑り抜けが阻止される。
【００１８】
かくして、３つの構成要素のみから比較的簡単に組み立てることができる本発明の継手装置では、差込部材１５は、分離不能に（連結状態が解除されないように）係合ロックされる。
【図面の簡単な説明】
【００１９】
【図１】受容部材に差込み可能な差込部材と、受容部材、確保部材及び唯一つのパッキングを含む本発明の継手装置の一実施例の分解斜視図。
【図２】図１の実施例において本発明の継手装置に差込部材が差込まれた状態。
【符号の説明】
【００２０】
１          確保部材
２          受容部材
３          環状パッキング
４          環状スリーブ
５、７      弾性ウェブ
６          後方係合要素
８          係止（ロック）要素
１５        差込部材
１７        戻り止めリング
２１、２２  差込斜面
２３        前端フランジ
２４        押圧斜面
２６        すべり斜面
２７        カバー壁
２８        閉鎖ウェブ
２９        当接壁
３０        対抗支持壁
【図１】
2009519411.tif 000003
【図２】
2009519411.tif 000004
【手続補正書】
【提出日】平成20年1月8日(2008.1.8)
【手続補正１】
【補正対象書類名】特許請求の範囲
【補正対象項目名】全文
【補正方法】変更
【補正の内容】
【特許請求の範囲】
【請求項１】
流体管路系の２つの管路端を結合する継手装置であって、
戻り止めリング（１７）が形成された差込部材（１５）を受容する受容部材（２）と、
前記戻り止めリング（１７）の後方からの係合を介して前記差込部材（１５）と前記受容部材（２）とを結合可能にする少なくとも１つの後方係合要素（６）を備え前記受容部材（２）内に挿入可能な確保部材（１）とを有する継手装置であって、
前記確保部材（１）は、周の大部分を閉鎖する（周の大部分ないし全周に亘って延在する）環状スリーブ（４）を有し、
前記環状スリーブ（４）の一方の側には、前記少なくとも１つの後方係合要素（６）が、夫々、半径方向に弾性運動可能でありかつ軸線方向に延在する弾性ウェブ（５）を介して結合されており、及び
前記少なくとも１つの後方係合要素（６）が、前記受容部材（２）に形成された前端フランジ（２３）に対向配置されるよう構成された継手装置において、
弾性ウェブ（７）を介して前記環状スリーブ（４）に結合され、かつ半径方向に配向する当接壁（２９）を有する少なくとも１つの係止要素（８）を有すること、
前記受容部材（２）のヘッド部分（１０）に、夫々１つの係止要素（８）に割り当てられた少なくとも１つの窓開口（１３）が形成され、該窓開口（１３）は、その中に対応する係止要素（８）が配置可能な寸法・形状に構成され、かつ半径方向において配向する対抗支持壁（３０）を有すること、
前記少なくとも１つの後方係合要素（６）は、前記当接壁（２９）と前記対抗支持壁（３０）とが互いに対向配置されるよう、対応する窓開口（１３）に配置されること、
前記受容部材（２）のヘッド部分（１０）には、各後方係合要素（６）に夫々割り当てられるカバー壁（２７）によって完全に包囲（閉鎖）される保護スペース（１４）が、各後方係合要素（６）に対し形成され、該保護スペース（１４）は、（該カバー壁（２７）によって）対応する後方係合要素（６）を外部からのアクセスに対し完全に保護し、かつ対応する後方係合要素（６）が前記差込部材（１５）の差込みの際に妨害を受けることなく半径方向外方に変位が可能な寸法・形状に構成されていること、
前記少なくとも１つの係止要素（８）は、前記差込部材（１５）の差込みにより、該差込部材（１５）によって半径方向内方への弾性運動が阻止され、該差込部材（１５）は、不適切な破壊的な作用が無い限り、前記受容部材（２）と分離不能に結合されること
を特徴とする継手装置。
【請求項２】
前記少なくとも１つの係止要素（８）には、夫々、軸線方向に前記対抗支持壁（３０）を越えて延在し前記受容部材（２）の前端フランジ（２３）の半径方向内方を指向する壁部に当接する閉鎖ウェブ（２８）が形成されていること
を特徴とする請求項１に記載の継手装置。
【請求項３】
前記環状スリーブ（４）は、半径方向外側に（外方に）おいて、前記弾性ウェブ（５、７）の方向に肉厚が増加する段構造を有すること
を特徴とする請求項１又は２に記載の継手装置。
【請求項４】
前記少なくとも１つの係止要素（８）及び前記少なくとも１つの後方係合要素（６）は、夫々、前記環状スリーブ（４）の方向を指向する差込斜面（２１、２２）を有すること
を特徴とする請求項１〜３の何れか一項に記載の継手装置。
【請求項５】
前記少なくとも１つの後方係合要素（６）は、夫々、前記環状スリーブ（４）から離隔する側を指向し半径方向外方に形成される押圧斜面（２４）と、半径方向内方を指向する滑り斜面（２６）を有すること
を特徴とする請求項１〜４の何れか一項に記載の継手装置。
【手続補正２】
【補正対象書類名】明細書
【補正対象項目名】０００２
【補正方法】変更
【補正の内容】
【０００２】
この種の継手装置は、ＤＥ１９５４０７８４Ａ１から既知である。特許文献４による流体管路系の２つの管路端を結合するこの既知の継手装置は、戻り止めリングが形成された差込部材を受容する受容部材を有する。更に、受容部材に挿入可能な環状の確保部材を備え、該確保部材は、戻り止めリングの後方からの係合を介して、差込部材と受容部材を結合可能にする２つの後方係合要素を有する。この既知の継手装置の場合、２つの後方係合要素は、夫々、当該２つの後方係合要素間に位置付けられ受容部材の対応する開口に夫々配される２つの押圧プレートに、側部に形成された夫々２つの弾性ウェブを介して結合されている。
【特許文献１】ＥＰ１３８０７９１Ａ１
【特許文献２】ＥＰ０４５９０１６Ａ１
【特許文献３】ＤＥ４４１３３４６
【特許文献４】ＤＥ１９５４０７８４Ａ１
【手続補正書】
【提出日】平成20年9月29日(2008.9.29)
【手続補正１】
【補正対象書類名】明細書
【補正対象項目名】０００５
【補正方法】変更
【補正の内容】
【０００５】
上記の課題は、冒頭に述べた種類の継手装置において、本発明に応じ、請求項１の特徴部に記載の特徴によって解決される。即ち、上記の課題を解決するために、本発明の一視点において、
流体管路系の２つの管路端を結合する継手装置であって、
戻り止めリングが形成された差込部材を受容する受容部材と、
前記戻り止めリングの後方からの係合を介して前記差込部材と前記受容部材とを結合可能にする少なくとも１つの後方係合要素を備え前記受容部材内に挿入可能な確保部材とを有する継手装置であって、
前記確保部材は、周の大部分を閉鎖する（周の大部分ないし全周に亘って延在する）環状スリーブを有し、
前記環状スリーブの一方の側には、前記少なくとも１つの後方係合要素が、夫々、半径方向に弾性運動可能でありかつ軸線方向に延在する弾性ウェブを介して結合されており、及び
前記少なくとも１つの後方係合要素が、前記受容部材に形成された前端フランジに対向配置されるよう構成された継手装置が提供される。この継手装置において、
弾性ウェブを介して前記環状スリーブに結合され、かつ半径方向に配向する当接壁を有する少なくとも１つの係止要素を有すること、
前記受容部材のヘッド部分に、夫々１つの係止要素に割り当てられた少なくとも１つの窓開口が形成され、該窓開口は、その中に対応する係止要素が配置可能な寸法・形状に構成され、かつ半径方向において配向する対抗支持壁を有すること、
前記少なくとも１つの後方係合要素は、前記当接壁と前記対抗支持壁とが互いに対向配置されるよう、対応する窓開口に配置されること、
前記受容部材のヘッド部分には、各後方係合要素に夫々割り当てられるカバー壁によって完全に包囲（閉鎖）される保護スペースが、各後方係合要素に対し形成され、該保護スペースは、（該カバー壁によって）対応する後方係合要素を外部からのアクセスに対し完全に保護し、かつ対応する後方係合要素が前記差込部材の差込みの際に妨害を受けることなく半径方向外方に変位が可能な寸法・形状に構成されていること、
前記少なくとも１つの係止要素は、前記差込部材の差込みにより、該差込部材によって半径方向内方への弾性運動が阻止され、該差込部材は、不適切な破壊的な作用が無い限り、前記受容部材と分離不能に結合されることを特徴とする（形態１・基本構成）。
【手続補正２】
【補正対象書類名】明細書
【補正対象項目名】０００７
【補正方法】変更
【補正の内容】
【０００７】
本発明の更なる好ましい実施形態は、従属請求項の対象である。以下に、本発明の好ましい実施の形態を示す：
（形態１）  上記基本構成参照。
（形態２）  上記の継手装置において、前記少なくとも１つの係止要素には、夫々、軸線方向に前記対抗支持壁を越えて延在し前記受容部材の前端フランジの半径方向内方を指向する壁部に当接する閉鎖ウェブが形成されていることが好ましい。
（形態３）  上記の継手装置において、前記環状スリーブは、半径方向外側に（外方に）おいて、前記弾性ウェブの方向に肉厚が増加する段構造を有することが好ましい。
（形態４）  上記の継手装置において、前記少なくとも１つの係止要素及び前記少なくとも１つの後方係合要素は、夫々、前記環状スリーブの方向を指向する差込斜面を有することが好ましい。
（形態５）  上記の継手装置において、前記少なくとも１つの後方係合要素は、夫々、前記環状スリーブから離隔する側を指向し半径方向外方に形成される押圧斜面と、半径方向内方を指向する滑り斜面を有することが好ましい。
【手続補正３】
【補正対象書類名】明細書
【補正対象項目名】０００８
【補正方法】変更
【補正の内容】
【０００８】
図面を参照した本発明の好ましい実施例の以下の説明から、更なる好ましい実施形態及び利点が明らかになる。なお、特許請求の範囲に付した図面参照符号は専ら発明の理解を助けるためのものであり、本発明を図示の態様に限定することは意図されていない。
【国際調査報告】
2009519411.tif 000005
2009519411.tif 000006
2009519411.tif 000007
2009519411.tif 000008
2009519411.tif 000009
2009519411.tif 000010